(57)【要約】【課題】オプション機器ユニット収容空間を有する電子機器において、このオプション機器ユニット収容空間に何もオプションが収容されずにデッドスペースとなっている場合も、余計なコストをかけることなく埃等の侵入を防ぎ、かつ、余剰電源コードにオペレータが足を引っかけたり、発生するノイズが他の機器に影響を与えるのを極力抑えられる電子機器を提供することが課題である。【解決手段】オプション機器ユニット収容空間１２を備えた電子機器において、オプション機器ユニット収容空間１２を充填する、電源コード巻き取りリールユニット２０を設けた。【選択図】図２
2007214095.tif 000002
【特許請求の範囲】
【請求項１】
本体下部に設けられて電子機器の電源を含むシールドされた制御回路ブロックに、オプション機器ユニット収容空間を備えた電子機器において、
前記オプション機器ユニット収容空間に充填する、電源コード巻き取りリールユニットを設けたことを特徴とする電子機器。
【請求項２】
前記電源コード巻き取りリールユニットに収容する電源コードは、仕向け地毎に対応させて設けられていることを特徴とする請求項１に記載した電子機器。
【請求項３】
前記電源コード巻き取りリールユニットは、内部に設けられたリールに電源コードを巻き取るための弾性部材と、引き出した電源コードを所定長さで係止する手段とを備え、シールドケースに収容したことを特徴とする請求項１または２に記載した電子機器。
【請求項４】
前記オプション機器ユニット収容空間には、オプション機器接続用コネクタと、前記電源コード巻き取りリールユニットに収容した電源コードを接続する内部電源ソケットとが設けられていることを特徴とする請求項１乃至３のいずれかに記載した電子機器。
【請求項５】
前記オプション機器ユニット収容空間に収容されるオプション機器ユニットには、前記オプション機器接続用コネクタに接続するコネクタを有したオプション機器と、前記電子機器外装側に電源コード接続コネクタと、該電源コード接続コネクタと前記オプション機器ユニット収容空間に設けられた内部電源ソケットとを接続する手段とを有していることを特徴とする請求項４に記載した電子機器。
【発明の詳細な説明】
【技術分野】
【０００１】
本発明は、電子写真方式を利用した複写機、プリンタ、ファクシミリ、それらの複合機などの画像形成装置や通信機器、コンピュータ等の電子機器に関するものである。
【０００２】
電子写真方式を利用した複写機、プリンタ、ファクシミリ、それらの複合機などの画像形成装置や、通信機器、コンピュータ等の電子機器には、一般的に２ｍ程度の電源コードが設けられ、機器側面等から引き出されて室内等に配置したコンセントに接続できるようになっている。
【０００３】
このため、机やラック上に電子機器を設置した際に、電源コードに余剰部分が発生すると、この余剰部分にオペレータ等が足をひっかけたり、或は機器を壊したりすることがある。また、電源コードの余剰部分が机等の足で踏まれ、電源コード自体に傷を付けてしまうこともある。更に電源コードからは輻射電波が発生し、これがノイズとして他の機器に悪影響を及ぼすこともある。
【０００４】
一方、電子写真方式を利用した複写機、プリンタ、ファクシミリ、それらの複合機などの画像形成装置や通信機器、コンピュータ等の電子機器では、定められた規格のコネクタを備えた所定の大きさのオプション機器ユニット収容空間を用意し、別売りの付加機能機器やそのコントロール基板などのオプション機器ユニットを装填できるようにする、といったことが従来から行われてきた。
【０００５】
これは、例えば複写機においては、このオプション機器ユニット収容空間にハードディスクを装着し、スキャナでスキャンしたデータを保管するようにしたり、プリンタにおいては、例えばＬＡＮで接続された複数のパソコンから同時に多量のデータが送られてきた場合、それを一時的に保管するなどのことに用いられる。
【０００６】
しかしながら、こういったオプション機器ユニットの実装は、装着しないユーザも多い。したがってこういったオプション機器ユニットが実装されない場合、そのオプション機器ユニット収容空間がデッドスペースとなるが、この空間は開放されている場合も多いために埃等も侵入しやすい。また、開放されていない場合においても密閉シールされているわけではないので、その部分から埃等が侵入して内部の電子制御部品に悪影響を与える場合がある。しかも、密閉シールする場合は、特別なシール板を使ってシールする必要があるためそれだけコストアップになる。
【０００７】
こういった問題に対して例えば特許文献１には、カウンタなどのオプション機器を後から開口部を介して外付けできるようにした画像形成装置において、オプション機器が取り付けられていない場合、開口部が開放された状態にあるとオペレータの指が画像形成装置内の高電圧部に触れて感電したり、外気中のゴミや塵埃が画像形成装置内に侵入したりする不具合があるため、外装カバーを設けたオプション機器取付け用開口部を遮蔽する目隠し構造が示されている。
【０００８】
また特許文献２には、予備のバッテリやモデムなどのオプション機器を収容する凹部と、モデムなどの接続用コネクタとを備えたパソコンやワープロなどの小型電子機器において、バッテリ接続に際してモデム接続用のコネクタが邪魔にならないよう退避位置に位置させ、モデム接続に際して、コネクタをモデム側コネクタと容易に接続できる接続位置へと移動できるよう、バネによってコネクタを移動できるようにした構造が開示されている。
【０００９】
【特許文献１】特開２００３−３４１１７７号公報
【特許文献２】実開平７−４１６１７号公報
【発明の開示】
【発明が解決しようとする課題】
【００１０】
しかしながら、特許文献１に示された画像形成装置はオプション機器が外付けされようになっており、オプション取り付け用開口といっても小さなもので、簡単に目隠し構造によって塞ぐことができる。しかし、電子機器内部にハードディスクなどのオプション機器ユニット収容空間を設けた場合、その空間と開口は大きなものになり、その空間を塞いだりシールドするためには、前記したように特別なシールド板を使ってシールする必要があってコストアップになる。
【００１１】
また特許文献２に示された小型電子機器では、オプション機器は開放空間に装備されるようになっていて、こういった場合、一般的にオプション機器そのものから発生するノイズが他の機器に悪影響を及ぼさないようになっている。また、オプション機器を接続しない場合の考慮はなされていないから、前記したように機器内部に比較的大きなオプション機器ユニット収容空間を有する場合の参考にはならない。またこれら特許文献１、特許文献２に示された機器は、電源コードが邪魔になる場合への対処や、発生するノイズに対する対処方法については何ら示されていない。
【００１２】
そのため本発明においては、オプション機器ユニット収容空間を有する電子機器において、このオプション機器ユニット収容空間に何もオプションが収容されずにデッドスペースとなっている場合も、余計なコストをかけることなく埃等の侵入を防ぎ、かつ、余剰電源コードにオペレータが足を引っかけたり、発生するノイズが他の機器に影響を与えるのを極力抑えられる電子機器を提供することが課題である。
【課題を解決するための手段】
【００１３】
上記課題を解決するため本発明になる電子機器は、
本体下部に設けられて電子機器の電源を含むシールドされた制御回路ブロックに、オプション機器ユニット収容空間を備えた電子機器において、
前記オプション機器ユニット収容空間に充填する、電源コード巻き取りリールユニットを設けたことを特徴とする。
【００１４】
このように、デッドスペースとなっているオプション機器ユニット収容空間に電源コード巻き取りリールユニットを設けたことで、電源コードは電子機器が置かれたところからそのコンセントまで、最短距離だけ引き出すようにすることが可能であるから、余剰電源コードにオペレータが足を引っかけたりすることが防止できる。また、最短距離でコンセントに接続することにより、電源コード総てが露出している場合に比較してノイズが発生する部分を短くでき、ノイズにより他の機器に与える影響を抑えることができる。
【００１５】
そして、前記電源コード巻き取りリールユニットに収容する電源コードは、仕向け地毎に対応させて設けることで、海外などの電源コードは電源プラグが日本と異なることがあるが、このように、電源コード巻き取りリールユニットを仕向け地毎に用意し、それぞれの電源コード巻き取りリールユニットに、例えば仕向け地名を記載して対応する電源コードを収容しておけば、出荷に際して間違えを防止することができる。
【００１６】
また、前記電源コード巻き取りリールユニットは、内部に設けられたリールに電源コードを巻き取るための弾性部材と、引き出した電源コードを所定長さで係止する手段とを備え、少なくとも、前記制御回路ブロックにおける制御回路に対するシールド壁を有したケースに収容されていることで、電源コードの引き出し量を最短とすることができることと、シールドケースへの収容で、制御回路や他の機器に与えるノイズを最小限とすることができる。
【００１７】
そして、前記オプション機器ユニット収容空間には、オプション機器接続用コネクタと、前記電源コード巻き取りリールユニットに収容した電源コードを接続する内部電源ソケットとが設けられ、さらに、前記オプション機器ユニット収容空間に収容されるオプション機器ユニットには、前記オプション機器接続用コネクタに接続するコネクタを有したオプション機器と、前記電子機器外装側に電源コード接続コネクタと、該電源コード接続コネクタと前記オプション機器ユニット収容空間に設けられた内部電源ソケットとを接続する手段とを有していることで、オプション機器ユニットも容易に収容することができる。
【発明の効果】
【００１８】
以上記載のごとく本発明になる電子機器は、デッドスペースとなるオプション機器ユニット収容空間に電源コード巻き取りリールユニットを設けたことで、余計なコストをかけることなく埃等の侵入を防ぎ、かつ、電源コードは電子機器が置かれたところからそのコンセントまで、最短距離だけ引き出すようにすることが可能であるから、余剰電源コードにオペレータが足を引っかけたりすることが防止できる。また、最短距離でコンセントに接続することにより、電源コード総てが露出している場合に比較してノイズが発生する部分を短くでき、さらに、電源コードを巻き取りリールユニットとに、少なくとも制御回路ブロックにおける制御回路に対するシールド壁を持たせたケースに収容することで、内部回路部品、および他の機器にノイズにより与える影響を抑えることができる。
【発明を実施するための最良の形態】
【００１９】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００２０】
図１は、オプション機器ユニット収容空間を備えた本発明の電子機器の一例としての画像形成装置１０の斜視図である。この画像形成装置１０は、その内部に図示していない画像を形成する感光体と、その感光体の周囲に帯電装置、現像装置、転写装置、クリーニング装置などが設けられている。そして画像形成指示が来ると、制御装置がまず帯電装置で感光体を一様に帯電させ、画像データで変調した信号が露光装置に送られて、この露光装置から発せられた光が感光体を走査して潜像が形成される。その潜像は、現像装置によって現像されてトナー画像となり、給紙カセットから用紙搬送路を送られてくる用紙に転写装置によって転写され、定着装置で定着されて用紙排出口から、用紙排出部１１に排出される。
【００２１】
この画像形成装置１０の下部の１２に斜線を付して示した位置には、ハードディスクやその他の別売りの、付加機能機器などのオプション機器ユニットを装填できるよう、オプション機器ユニット収容空間１２が設けられている。またこのオプション機器ユニット収容空間１２は、同じく画像形成装置１０の下部に、電源や電子機器の制御回路を配した制御回路ブロック内に設けられている。
【００２２】
図５は、画像形成装置１０の下部に設けられたオプション機器ユニット収容空間１２を含む制御回路ブロック２１と、その空間に装填するオプション機器ユニットとしてのハードディスクオプションユニット５０を示したものである。この図のうち、図５（Ａ）は、ハードディスクオプションユニット５０をこのオプション機器ユニット収容空間１２に装填途中の状態を示した斜視図、（Ｂ）は同じくハードディスクオプションユニット５０をオプション機器ユニット収容空間１２に装填し終わった状態を示した斜視図、（Ｃ）はハードディスクオプションユニット５０の斜視図である。
【００２３】
制御回路ブロック２１は、前記したように画像形成装置１０の下部に、オプション機器ユニット収容空間１２を含んで設けられていて、例えば画像形成装置１０の制御回路基板２２、図示していない電子機器の電源などが設けられ、上部に設けられる例えば画像形成装置における電子写真プロセス部材から発せられるノイズの影響を受けないように、また逆に、制御回路ブロックから発せられるノイズが電子写真プロセス部材に影響を与えないよう、金属板を用いてシールドされている。
【００２４】
また制御回路基板２２には、ＣＰＵを含む回路素子やメモリ用のコネクタ２３等が設けられ、さらにその制御回路基板２２の一部は、オプション機器ユニット収容空間１２側に張り出して、オプション機器ユニットに設けられたコネクタを挿入するオプション機器接続用コネクタ２４が設けられている。また、このオプション機器ユニット収容空間１２におけるオプション機器接続用コネクタ２４の横には、電源コードを接続して画像形成装置１０へ電源を供給するための、内部電源ソケット２５が設けられている。
【００２５】
図５（Ｃ）は、このオプション機器ユニット収容空間１２へ装填する、例えばハードディスクオプションユニット５０の外観斜視図である。このハードディスクオプションユニット５０は、電子機器としての画像形成装置１０における、外装側のオプションユニット挿入口を塞ぐ大きさとした金属板５１の一部に、ハードディスク本体５２を取り付けたものである。このハードディスク本体５２には、図５（Ａ）に２４で示したオプション機器接続用コネクタと接続するための図示していないコネクタが設けられている。また金属板５１には、ハードディスク本体５２を取り付けた部位とは逆の部位に、電子機器としての画像形成装置１０の電源コードを接続するための電源コード接続コネクタ５３が設けられ、その電源コード接続コネクタ５３と内部電源ソケット接続用コネクタ５５とを、中間コードケース５４を通した中間コードで結んである。
【００２６】
そのためこのハードディスクオプションユニット５０を、図５（Ａ）のようにオプション機器ユニット収容空間１２へ挿入し、オプション機器接続用コネクタ２４へハードディスク本体５２に設けられている図示していないコネクタを接続すると共に、内部電源ソケット２５に内部電源ソケット接続用コネクタ５５を接続し、画像形成装置１０の側壁にネジ止めして図５（Ｂ）に示したように装填する。
【００２７】
このようにしてオプション機器ユニットがオプション機器ユニット収容空間１２に装填されるわけであるが、前記したようにこういったオプション機器ユニットが実装されない場合、そのオプション機器ユニット収容空間１２がデッドスペースとなる。そのため、本発明においては、オプション機器ユニット収容空間１２を充填する、電源コード巻き取りリールユニット２０を設けたものである。
【００２８】
図２（Ａ）は、このデッドスペースとなるオプション機器ユニット収容空間１２に、電源コード巻き取りリールユニット２０を装填する途中の状態を示した斜視図、（Ｂ）は同じく電源コード巻き取りリールユニット２０をオプション機器ユニット収容空間１２に装填し終わった状態を示した斜視図である。また、図３（Ａ）はこの電源コード巻き取りリールユニット２０の上面斜視図で、（Ｂ）は同じく下面から見た斜視図、図４はこの電源コード巻き取りリールユニット２０に装填する電源コード巻き取りリールの例を２つ示した図である。
【００２９】
図２（Ａ）は、このデッドスペースとなるオプション機器ユニット収容空間１２に、電源コード巻き取りリールユニット２０を装填する途中の状態を示した斜視図であり、前記図５で説明したようにオプション機器ユニット収容空間１２を含む制御回路ブロック２１には、例えば画像形成装置１０の制御回路基板２２上に、ＣＰＵを含む回路素子やメモリ用のコネクタ２３と、オプション機器に設けられたコネクタを挿入するオプション機器接続用コネクタ２４が設けられている。また、このオプション機器ユニット収容空間１２におけるオプション機器接続用コネクタ２４の横には、電源コードのコネクタを接続して画像形成装置１０へ電源を供給するため、内部電源ソケット２５が設けられている。
【００３０】
図３（Ａ）は、電源コード巻き取りリールユニット２０の上面斜視図、（Ｂ）は下面斜視図であり、この電源コード巻き取りリールユニット２０は、オプション機器ユニット収容空間１２のオプション機器ユニット挿入口を塞ぐ大きさとした金属板３０に、電源プラグを収容する孔３１が設けられ、さらに電源コード巻き取りリールを収容する例えば樹脂で製作したカバー３２と、画像形成装置１０における電子写真プロセス部材に対するシールドのための板金３３が取り付けられている。なお、樹脂で製作したカバー３２も、前記制御回路ブロック２１における制御回路基板２２上に設けられた制御回路側にシールド壁を設けると、制御回路に対するノイズの影響を軽減することができる。
【００３１】
図４は、このカバー３２と、シールドのための板金３３で形成される空間の中に収容する電源コード巻き取りリールの例を２つ示した図であり、図４（Ａ）はその一例の電源コード巻き取りリール４０を電源コード側から見た図、図４（Ｂ）は他の一例の電源コード巻き取りリール４１をカバー側から見た図である。
【００３２】
この図４（Ａ）に示した電源コード巻き取りリール４０、または図４（Ｂ）に示した電源コード巻き取りリール４１は、中心部に設けられたリール４２に電源コード４３が渦巻き状に巻かれて収容され、その電源コード４３の先端に電源プラグ４４が接続されている。そしてこのリール４４には、図示していない渦巻きバネが装填され、電源コード４３を巻き取る方向に力が加えられている。
【００３３】
そのため電源コード４３は、急激に屈曲されたりしていないから、曲げ応力が加わることがなくて負荷が軽減できる。また、中央部のリール４２には、リール４２が回転しても常時給電がおこなわれるよう、この電源コード巻き取りリール４０、４１を収容する側に設けられた接点を、回転しながら摺動する摺動接点４５（図４（Ｂ）の４１には図示せず）が設けられ、さらに、引き出した電源コード４３は、任意の長さで止められるよう、所定長さで係止する図示していないストッパーとその解除装置が設けられている。
【００３４】
また、電源コード巻き取りリールユニット４０、４１に収容する電源コード４３は、海外向けの場合は電源プラグ４４が日本と異なることがあるが、電源コード４３と電源プラグ４４を仕向け地毎に用意し、それぞれを収容した電源コード巻き取りリールユニット４０、４１に、例えば仕向け地名を記載するようにすれば、出荷に際して間違えを防止することができる。
【００３５】
再度図３を参照して、この図４に示した電源コード巻き取りリール４０、４１は、前記したようにシールド用の板金３３、カバー３２で形成される空間に収容されるわけであるが、このカバー３２、または板金３３には、図４に４５で示した摺動接点４５が摺動する接点が設けられている。そして、この電源コード巻き取りリールユニット２０の一端３４に設けられている、内部電源ソケット２５と接続するための図示していない内部電源ソケット接続用コネクタに、この接点からの電線が接続されている。
【００３６】
再度図２を参照して、電源コード巻き取りリールユニット２０がこのように構成されているため、図２（Ａ）のようにオプション機器ユニット収容空間１２に電源コード巻き取りリールユニット２０を挿入し、電源コード巻き取りリールユニット２０の一端３４に設けられる内部電源ソケット接続用コネクタを、オプション機器ユニット収容空間１２に設けられている内部電源ソケット２５に差し込んで図２（Ｂ）のように装填することで、前記図４に示した電源コード４３により、画像形成装置１０の本体側に電源を供給することが可能となる。
【００３７】
そのとき、図４に示した電源プラグ４４は、図２、または図３に３１で示した電源プラグを収容する孔から突出するから、この電源プラグ４４を外部に設けたコンセントに接続するときは、電源プラグ４４を引いて電源コード４３を引き出す。すると、前記したようにストッパーによって電源コード４３は引き出されたところで止まるから、電源プラグ４４を電源コンセントに挿入すればよい。
【００３８】
このようにすることにより、電源コード４３は電子機器が置かれたところからそのコンセントまで引き出されるだけであるから、余剰電源コード４３にオペレータが足を引っかけたりすることが防止できる。また、電源コード４３は最短距離でコンセントに接続できるから、電源コード４３総てが露出している場合に比較してノイズが発生する部分を短くでき、ノイズにより他の機器に与える影響を抑えることができる。さらに、電源コードを巻き取りリールユニット２０をノイズシールド効果を持った板金３３で覆うことで、内部回路部品や他の機器にノイズの影響を与えることがない。
【００３９】
以上種々述べてきたように本発明によれば、デッドスペースとなるオプション機器ユニット収容空間１２に電源コード巻き取りリールユニット３０を設けたことで、余計なコストをかけることなく埃等の侵入を防ぎ、かつ、電源コード４３は電子機器が置かれたところからそのコンセントまで引き出せば良く、余剰電源コード４３にオペレータが足を引っかけたりすることが防止できる。また、電源コード４３は最短距離でコンセントに接続できるから、電源コード４３総てが露出している場合に比較してノイズが発生する部分を短くでき、ノイズにより他の機器に与える影響を抑えることができる。さらに、電源コード４３を巻き取りリールユニット２０としてケースに収容することで、ケースにノイズシールド効果を持たせれば内部回路部品に影響を与えることがない。
【産業上の利用可能性】
【００４０】
本発明によれば、電子機器内部に設けられたオプション機器ユニット収容空間に埃等が侵入するのを防ぎ、かつ、余剰電源コードにオペレータが足を引っかけたり、発生するノイズが他の機器に影響を与えるのを極力抑えた電子機器を提供することができる。
【図面の簡単な説明】
【００４１】
【図１】オプション機器ユニット収容空間を備えた本発明の電子機器の一例としての画像形成装置の斜視図である。
【図２】（Ａ）はオプション機器ユニット収容空間に電源コード巻き取りリールユニットを装填している途中の状態を示した斜視図、（Ｂ）は同じく電源コード巻き取りリールユニットをオプション機器ユニット収容空間に装填し終わった状態を示した斜視図である。
【図３】（Ａ）はこの電源コード巻き取りリールユニットの上面斜視図で、（Ｂ）は下面斜視図である。
【図４】電源コード巻き取りリールユニットに装填する電源コード巻き取りリールの例を示した図である。
【図５】画像形成装置の下部に設けられたオプション機器ユニット収容空間を含む制御回路ブロックと、その空間に装填するオプション機器ユニットとしてのハードディスクオプションユニットを示したもので、（Ａ）はハードディスクオプションユニットをオプション機器ユニット収容空間１２に装填している途中の状態を示した斜視図、（Ｂ）は同じくハードディスクオプションユニットをオプション機器ユニット収容空間１２に装填し終わった状態を示した斜視図、（Ｃ）はハードディスクオプションユニットの斜視図である。
【符号の説明】
【００４２】
１０  画像形成装置
１１  用紙排出部
１２  オプション機器ユニット収容空間
２０  電源コード巻き取りリールユニット
２１  制御回路ブロック
２２  制御回路基板
２３  メモリ用のコネクタ
２４  オプション機器接続用コネクタ
２５  内部電源ソケット
３０  金属板
３１  電源プラグを収容する孔
３２  カバー
３３  板金
３４  端部
【図１】
2007214095.tif 000003
【図２】
2007214095.tif 000004
【図３】
2007214095.tif 000005
【図４】
2007214095.tif 000006
【図５】
2007214095.tif 000007